(57)【要約】      （修正有）【課題】スピーカーの低周波性能を改善する強化型パッシブラジエーターを提供する。【解決手段】本強化型パッシブラジエーターは、フレーム９、保持辺１０及び振動膜１１を包含し、該振動膜と該フレームの間は保持辺で接続固定され、該振動膜の外壁と該フレームの間にダンパー８が設けられ、該振動膜は変形しにくい高強度振動膜とされる。該強化型パッシブラジエーターは内部構造を改良し、音の発生に参与する振動面積を顕著に拡大し、且つ振動構造を伝統的なパッシブラジエーターよりさらに結実となした。これにより、該強化型パッシブラジエーターの動作周波数は顕著に下がり且つひずみも小さくなり、スピーカーの低周波表現をより良好とする。【選択図】図３
0003169829.tif 000002
【実用新案登録請求の範囲】
【請求項１】
強化型パッシブラジエーターにおいて、フレーム、保持辺及び振動膜を包含し、該振動膜と該フレームの間は該保持辺で接続固定され、該振動膜は高強度振動膜とされ、該振動膜の外壁と該フレームの間にダンパーが設けられたことを特徴とする、強化型パッシブラジエーター。
【請求項２】
請求項１記載の強化型パッシブラジエーターにおいて、該振動膜の中間位置にウエイトを置けるチャンバが設けられ、該ウエイトが該チャンバ内部に置かれることを特徴とする、強化型パッシブラジエーター。
【請求項３】
請求項１記載の強化型パッシブラジエーターにおいて、該振動膜と該ウエイトが一体成形されたことを特徴とする、強化型パッシブラジエーター。
【請求項４】
請求項１乃至３いずれか記載の強化型パッシブラジエーターにおいて、該ダンパーが環形波状とされたことを特徴とする、強化型パッシブラジエーター。
【請求項５】
請求項１記載の強化型パッシブラジエーターにおいて、該振動膜が高強度金属振動膜とされたことを特徴とする、強化型パッシブラジエーター。
【請求項６】
請求項１記載の強化型パッシブラジエーターにおいて、該振動膜が高強度プラスチック振動膜とされたことを特徴とする、強化型パッシブラジエーター。
【考案の詳細な説明】
【技術分野】
【０００１】
本考案は一種のパッシブラジエーターに係り、特に、変形しにくい高強度振動膜を採用し、顕著にスピーカーの低周波性能を改善した強化型パッシブラジエーターに関する。
【背景技術】
【０００２】
スピーカーは電気エネルギーを音に変換する変換設備である。図１に示される伝統的なスピーカー構造を参照すると、典型的なスピーカーは、磁石１、磁石周辺に嵌め合わされたＵ型ヨーク２、磁石１上方の導磁盤３、磁石１と導磁盤３の周辺を囲むボイスコイル４を包含する。上述の磁石１、Ｕ型ヨーク２、導磁盤３及びボイスコイル４はいずれもフレーム５の中心位置に取付けられる。ボイスコイル４の上方辺縁は薄型振動膜６に接続され、該薄型振動膜６とフレーム５の間は保持辺７で接続されている。該ボイスコイル４は環形波状のダンパー８でフレーム５と接続されている。異なる電子エネルギーがボイスコイル４に伝わる時、ボイスコイル４が発生するエネルギーは磁石１の磁場と相互作用し、このような相互作用により薄型振動膜６が振動し、空気の疎密度に変化を発生させ、音を発生する。
【０００３】
パッシブラジエーターは、それ自身は駆動システムを包含しない。それはアクティブスピーカーが動作する時、チャンバ内の空気を圧縮し、駆動され、アクティブスピーカーの電気と音のエネルギー変換の過程に振動により圧縮空気が発生する熱エネルギー、運動エネルギーを音声信号に変換する。このようなパッシブラジエーターの内部構造は標準スピーカーに類似している。
【０００４】
図２に示される伝統的なパッシブラジエーター構造を参照すると、典型的なパッシブラジエーターは、フレーム９、保持辺１０、強度が比較的弱い振動膜１１及びウエイト１２を包含する。そのうち、フレーム９の構造は上述のフレーム５と類似し、振動膜１１とフレーム９の間は保持辺１０で接続されている。振動膜１１の中間位置にはウエイト１２が設けられている。図２から分かるように、伝統的なパッシブラジエーター中にはボイスコイル、ダンパー等の部品は設けられず、且つ振動膜の強度もスピーカー中のものよりも低い必要がある。
【０００５】
現段階のテクノロジー進歩の背景の下、全てのものがますます小型化の方向に発展している。しかし、小容積或いは小面積のスピーカーは物理特性の影響を受け、その低周波性能が悪くなる。また、省エネが求められる時代にあって、スピーカーは極低周波では抵抗特性の影響により、多くの電力が低周波上に浪費され、これにより、予め、低周波数且つ音声が大きくない部分に対して濾過する動作によって、さらに多くの電力を節約できることは間違いない。上述の状況に基づき、いかに、一方で電力を節約し、もう一方でスピーカーの面積を小さくするかが、自ずと現在のスピーカー設計上の、重要な研究の内容となっている。
【考案の概要】
【考案が解決しようとする課題】
【０００６】
現在の技術の不足を鑑み、本考案の目的は、一種の強化型パッシブラジエーターを提供することにある。該強化型パッシブラジエーターは変形しにくい高強度振動膜を採用し、顕著にスピーカーの低周波性能を改善する。
【課題を解決するための手段】
【０００７】
上述の目的を達成するため、本考案は以下の技術を採用する。
【０００８】
本考案の強化型パッシブラジエーターは、フレーム、保持辺及び振動膜を包含する。該振動膜と該フレームの間は該保持辺により接続されている。
【０００９】
該振動膜は高強度振動膜とされ、該振動膜の外壁と該フレームの間にダンパーが設けられている。
【００１０】
好ましくは、該振動膜の中間位置に、ウエイトをおけるチャンバが形成され、該ウエイトが該チャンバ内部に置かれるか、或いは、該振動膜とウエイトが一体成形される。
【００１１】
好ましくは、該ダンパーは環形波状とされる。
【考案の効果】
【００１２】
本考案の提供する強化型パッシブラジエーターは内部構造の改良により、音の発生に参与する振動面積を顕著に拡大し、且つ振動構造を伝統的なパッシブラジエーターよりさらに結実となした。これにより、該強化型パッシブラジエーターの動作周波数は顕著に下がり且つひずみも小さくなり、スピーカーの低周波表現をより良好とする。
【図面の簡単な説明】
【００１３】
【図１】伝統的なスピーカーの内部構造表示図である。
【図２】伝統的なパッシブラジエーターの内部構造表示図である。
【図３】本考案の強化型パッシブラジエーターの内部構造表示図である。
【図４】本考案の強化型パッシブラジエーターの別の実施例の内部構造表示図である。
【考案を実施するための形態】
【００１４】
本考案の技術内容、構造特徴、達成する目的を詳細に説明するため、以下に実施例を挙げ並びに図面を組み合わせて説明する。本考案で述べる方向用語、たとえば、上、下、前、後ろ、左、右、内、外、側面等は、添付の図面を参考する方向にすぎない。これにより、使用する方向用語は本考案を説明及び理解するために用いられ、本考案を制限するためのものではない。
【００１５】
本考案は音の振動面積が大きくなるほど、周波数は低くなる音声学の法則、及び振動速度が遅くなるほど、周波数が低くなる音声学の法則、さらに、振動構造が結実であるほど、ひずみが小さくなる実験結果により、パッシブラジエーターの内部の構造の改善により、該強化型パッシブラジエーターを使用したスピーカーの低音サウンド効果をより良好とする。
【００１６】
これにより、図３に示されるように、本考案の提供する強化型パッシブラジエーターは、その主要な技術の改良が、振動膜１１に変形しにくい高強度振動膜を使用し、好ましくは、該振動膜１１は高強度金属振動膜或いは高強度プラスチック振動膜とされ、該振動膜１１とフレーム９の間は保持辺１０で接続されたことにある。ただし、伝統的なパッシブラジエーターとの違いとして、該振動膜１１の中間位置に、ウエイトを配置できるチャンバ１３が形成され、ウエイト１２が該チャンバ１３内部に置かれ、中間に一定の空隙が保留されている。このほか、該チャンバ１３の外壁とフレーム９の間にさらに環形波状のダンパー８が設置されている。
【００１７】
本強化型パッシブラジエーター中には変形しにくい高強度振動膜が使用され、さらにウエイトが配置されたチャンバの外壁にダンパーが設置されてフレームと接続され、これにより、音発生に参与する振動面積が顕著に拡大され、且つ振動構造が明かに伝統的なパッシブラジエーターよりさらに結実している。こうして、本強化型パッシブラジエーターの動作周波数は明かに下がりひずみが小さくなり、スピーカーの低周波表現をより良好とすることができる。音声学の法則により、低音がより低く、より強くなって一定の程度となる時、音声表現はさらに豊富となり、多彩となる。このため、多くの消費者の、スピーカー製品に対する低音不足に対する、さらに多くの低音への要求を満足させる。
【００１８】
図４は本考案の提供する強化型パッシブラジエーターの別の実施例を示す。本実施例中、先の実施例と同様に変形しにくい高強度振動膜を使用し、且つ該高強度振動膜の外壁とフレーム９の間に環形波状のダンパー８が設置される。ただし、先の実施例と異なる点として、該振動膜とウエイトは一体成形設計が採用され、且つ、先の実施例中のチャンバが設けられていない。この実施例中の振動膜１４とウエイトは一体に形成され、変形がさらに発生しにくいものとされ、振動構造もさらに結実とされ、これにより低周波性能はさらに改善される。
【００１９】
本強化型パッシブラジエーターはスピーカーと一緒に低音増強の組合せを形成する。具体的には、該低音増強組合せは、単数或いは複数スピーカ単体を採用し、スピーカー単体の背面波を利用し、本強化型パッシブラジエーターを駆動し、それとスピーカーの共同作業により、スピーカーの振動面積を増加し、さらに多くの空気を押動し、これによりスピーカーボックスの低音の強度を強化し、低音が比較的不足しているスピーカーに、さらに低周波数の低音を発生させるようにすることを指す。このほか、低音増強組合せは、もともと比較的大きな体積を必要とするスピーカーボックス構造を有効に減少できる。
【００２０】
本考案の強化型パッシブラジエーターは、内部構造の改良により、音の発生に参与する振動面積を顕著に拡大し、且つ振動構造を伝統的なパッシブラジエーターよりさらに結実となした。これにより、該強化型パッシブラジエーターの動作周波数は顕著に下がり且つひずみも小さくなり、スピーカーの低周波表現をより良好とする。本考案の属する技術領域中、これまでに本考案と同じ或いは類似の製品の創作或いは公開使用はなく、本考案は機能が改善され、ゆえに本考案は新規性と進歩性を有している。
【００２１】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２２】
８  ダンパー              ９  フレーム
１０  保持辺              １１  振動膜
１２  ウエイト            １３  チャンバ
【図１】
0003169829.tif 000003
【図２】
0003169829.tif 000004
【図３】
0003169829.tif 000005
【図４】
0003169829.tif 000006